(57)【要約】      （修正有）【課題】撮像装置の状態を考慮して、２つの省電力モードと通常の電源ＯＦＦの３つのモードを切り替えながら使用することでユーザーに不快感を与えない範囲で電力消費を削減することを可能にしたタッチパネル装置を提供する。【解決手段】表示手段と、ＡＦ設定手段と、動画記録判定手段と、画処理判定手段の情報からタッチ検出手段を使用しないことを判定するタッチ検出判定手段と、タッチ検出判定手段の結果、しない判定だった場合、スリープモードにすることで消費電力を削減するスリープ省電力手段と、タッチ検出判定手段の結果する判定だった場合でも一定時間使用しない場合は、タッチの指待ち状態にして消費電力を削減する指省電力手段と、を有する。タッチ検出停止手段と、スリープ省電力手段と、指省電力手段の、どの省電力手段を利用するかを判定する省電力モード判定手段を備える。【選択図】図１Ａ
2016122955.tif 000002
【特許請求の範囲】
【請求項１】
撮像素子から映像を取得して画像処理する画像処理手段(16)と、
前記画像処理手段から画をリアルタイムに表示する表示手段(28)と、
表示デバイス上に接触するとその部分が反応するタッチ検出手段(54)と、
ユーザーの指示によりタッチ検出を止めるタッチ検出停止手段(S102)と、
前取り外し可能なレンズにおいてＭＦとＡＦを選択できるＡＦ設定手段(S106)と、
画像処理中かどうかを判定する画処理判定手段(S109)と、
動画記録中かどうかを判定する動画記録判定手段(S201)と、
前記表示手段、前記ＡＦ設定手段、前記動画記録判定手段、前記画処理判定手段の情報からタッチ検出手段を使用しないことを判定するタッチ検出判定手段(S104,S106,S109)と、
前記タッチ検出判定手段の結果、しない判定だった場合、スリープモードにすることで消費電力を削減するスリープ省電力手段(S105,S110)と、
前記タッチ検出判定手段の結果する判定だった場合でも一定時間使用しない場合は、タッチの指待ち状態にして消費電力を削減する指省電力手段(S113)と、
を有し、
前記タッチ検出停止手段(S102)とスリープ省電力手段(S105,S110)と指省電力手段(S113)のどの省電力手段を利用するかを判定する省電力モード判定手段(S100)を備えたことを特徴とするタッチパネル装置。
【請求項２】
前記画処理判定手段(S108)は、フィルター効果を掛けることができるフィルター設定手段(S202)、ＨＤＲ画像処理手段を経たうえで動画を記録できるＨＤＲ動画記録手段(S205)、前記表示手段中に画を拡大できる拡大手段(S203)、顔ＡＦを実施しているかを判定する顔ＡＦ判定手段(S204)、表現シャッフルモードに入っているかを判定するシャッフルモード判定手段(S206)、前記フィルター設定手段、前記顔ＡＦ判定手段、前記シャッフルモード判定手段や前記動画記録手段から前記拡大手段を使用するかしないかを判定する拡大利用可能判定手段のいずれかの手段を利用していた場合に画処理中と判定する判定手段(S200)であることを特徴とする請求項１に記載のタッチパネル装置。
【請求項３】
前記指省電力手段(S112)は、あらかじめユーザーが未使用時間と認識する時間を設定できる未使用時間設定手段(S301)を有し、前記未使用時間設定手段で設定された未使用時間が経過した場合に入る省電力手段(S300)であることを特徴とする請求項１に記載のタッチパネル装置。
【発明の詳細な説明】
【技術分野】
【０００１】
本発明は、タッチパネル装置に関し、特に撮像設定に応じた省電力モード切り替えに関する。
【背景技術】
【０００２】
従来、撮像装置に対する設定変更をユーザーが実施する際には撮像装置についている操作部材を触る必要があり、かつ、各操作部材では設定できる項目が決まっている為、直観的な操作ができなかった。この直観的な操作ができないという問題を解決したのがタッチパネルである。これは操作したい画面部分をさわることにより、まるで撮像装置に付随している操作部材を触ったかのような動作が可能になるというものである。これによりユーザーに対して操作性向上が提供できるが、一方で消費電力が余計にかかってしまうという問題も存在する。
【０００３】
近年、撮像装置が高機能化、多機能化するに従って多くのＩＣやその他ＨＷを使用することで消費電力がかかっている、近年の状況で撮影とは関係ないタッチパネルも使用すると消費電力がさらにかかってしまい結果、撮影可能枚数や動画撮影時間等の撮像装置としての主要な機能に対して影響を与えてしまう。
【０００４】
このような撮影とは関係ない機能で消費電力が多くかかってしまい主要な機能に影響を与える問題を解決するために、特許文献１には次のような技術が開示されている。ダイレクトプリントを実施する時に他のインターフェースからのプリント要求を処理中の場合、予約だけして省電力モードにはいり、処理を受け付けたプリンタが実際に実行するときに省電力モードを解除するというものである。
【先行技術文献】
【特許文献】
【０００５】
【特許文献１】特開２００７−２８０２１１号公報
【発明の概要】
【発明が解決しようとする課題】
【０００６】
しかしながら、上述の特許文献１に開示された従来技術では、省電力モードに入った後に他機器からのトリガがないと通常モードに戻ることができない。タッチパネルの場合だと、省電力モードは２種類存在するがそのうちのＤＥＥＰ ＳＬＥＥＰ ＭＯＤＥ中はタッチ検出が不可なのでそれを知らないユーザーが触った場合に反応することを期待するのにも関わらず、タッチパネルが反応しないという問題が起こってしまう。
【０００７】
これに対してWait For Touchという省電力モードは指検出待ちで指を検出すると明示的なトリガが指ということでユーザーが特に意識せずに通常モードに復帰するが、これだと先ほど述べたＤＥＥＰ ＳＬＥＥＰ ＭＯＤＥモードに比べて削減できる消費電力量が落ちてしまう。こういった一長一短の省電力モードがあると同時に通常の電源ＯＦＦも存在する。これはＨＷ的に電源を落とすということがだが、復帰までに最大５００msかかってしまう。なので、ユーザーがリアルタイムで使用したいときの即時性や入切を繰り返した時の反応に問題が生じる。
【０００８】
さらに撮像装置によっては、タッチパネルを使用する箇所を意図的に制限しているような機器も存在する。この時にタッチパネルの電源が入っているとまさに無駄に電力を消費してしまう。
【０００９】
そこで、本発明の目的は、撮像装置の状態を考慮して、２つの省電力モードと通常の電源ＯＦＦの３つのモードをその時のカメラの状況に応じて切り替えながら使用することでユーザーに不快感を与えない範囲で電力消費を削減することを可能にしたタッチパネル装置を提供することにある。
【課題を解決するための手段】
【００１０】
上記の目的を達成するために、本発明は、撮像素子から映像を取得して画像処理する画像処理手段と、前記画像処理手段から画をリアルタイムに表示する表示手段と、表示デバイス上に接触するとその部分が反応するタッチ検出手段と、ユーザーの指示によりタッチ検出を止めるタッチ検出停止手段と、前取り外し可能なレンズにおいてＭＦとＡＦを選択できるＡＦ設定手段と、画像処理中かどうかを判定する画処理判定手段と、動画記録中かどうかを判定する動画記録判定手段と、前記表示手段、前記ＡＦ設定手段、前記動画記録判定手段、前記画処理判定手段の情報からタッチ検出手段を使用しないことを判定するタッチ検出判定手段と、前記タッチ検出判定手段の結果、しない判定だった場合、スリープモードにすることで消費電力を削減するスリープ省電力手段と、前記タッチ検出判定手段の結果する判定だった場合でも一定時間使用しない場合は、タッチの指待ち状態にして消費電力を削減する指省電力手段と、を有し、前記タッチ検出停止手段とスリープ省電力手段と指省電力手段のどの省電力手段を利用するかを判定する省電力モード自動判定手段を備えたタッチパネル装置を有することを特徴とする。
【発明の効果】
【００１１】
本発明によれば、撮像装置の状態を考慮して、２つの省電力モードと通常の電源OFFの３つのモードを切り替えながら使用することでユーザーに不快感を与えない範囲で電力消費を削減することを可能にしたタッチパネル装置の提供を実現できる。
【図面の簡単な説明】
【００１２】
【図１Ａ】実施の形態を説明するタッチパネル装置の消費電力削減アルゴリズム全体に関するフローチャートである。
【図１Ｂ】実施の形態を説明するタッチパネル装置の消費電力削減アルゴリズムに関して、特に画処理中か動画記録中かを判断する為のフローチャートである。
【図１Ｃ】実施の形態を説明するタッチパネル装置の消費電力削減アルゴリズムに関して、特に未使用時間調査為のフローチャートである。
【図２】タッチパネルの各種電力消費削減モードの長所短所の相関図である。
【図３】実施の形態を説明する撮像装置のブロック図である。
【発明を実施するための形態】
【００１３】
以下、本発明の好適な一実施形態について、図面を参照して詳細に説明する。
【００１４】
図３は本発明の一実施形態における画像処理機能を有する撮像装置の構成を示すブロック図である。本実施形態においては、撮像装置としてレンズ交換可能な一眼レフタイプのデジタルスチルカメラを例に挙げて説明する。図３に示すように、本実施形態の撮像装置は、主にカメラ本体１００と、交換レンズタイプのレンズユニット３００とを備えて構成されている。
【００１５】
レンズユニット３００において、３１０は複数のレンズから成る撮像レンズ、３１２は絞り、３０６はレンズユニット３００をカメラ本体１００と機械的に結合するレンズマウントである。レンズマウント３０６内には、レンズユニット３００をカメラ本体１００と電気的に接続する各種機能が含まれている。３２０は、レンズマウント３０６において、レンズユニット３００をカメラ本体１００と接続するためのインターフェース、３２２はレンズユニット３００をカメラ本体１００と電気的に接続するコネクタである。
【００１６】
コネクタ３２２は、カメラ本体１００とレンズユニット３００との間で制御信号、状態信号、データ信号などを伝え合うと共に、各種電圧の電流を供給される機能も備えている。また、コネクタ３２２は電気通信のみならず、光通信、音声通信などを用いて通信を行う構成としてもよい。３４０は、測光制御部４６からの測光情報に基づいて、後述するカメラ本体１００のシッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【００１７】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発性メモリも備えている。
【００１８】
次に、カメラ本体１００の構成について説明する。１０６はカメラ本体１００とレンズユニット３００を機械的に結合するレンズマウント、１３０，１３２はミラーで、撮像レンズ３１０に入射した光線を一眼レフ方式によって光学ファインダー１０４に導く。なお、ミラー１３０はクイックリターンミラーの構成としても、ハーフミラーの構成としても、どちらでも構わない。１２はフォーカルプレーン式のシャッター、１４はＣＣＤ、ＣＭＯＳセンサ等からなり、被写体像を光電変換する撮像素子である。撮像素子１４の前方には、光学ローパスフィルター等の光学素子１４ａが配置されている。
【００１９】
撮像レンズ３１０に入射した光線は、一眼レフ方式によって光量制限手段である絞り３１２、レンズマウント３０６及び１０６、ミラー１３０、シャッター１２を介して導かれ、光学像として撮像素子１４上に結像される。１６は、撮像素子１４から出力されるアナログ信号（出力信号）をデジタル信号に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッター制御部４０、焦点調節部４２を制御するための、コントラスト方式のオートフォーカス（ＡＦ）処理、自動露出（ＡＥ）処理、フラッシュプリ発光（ＥＦ）処理を行うことができる。
【００２１】
さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２２】
２２はメモリ制御回路であり、Ａ／Ｄ 変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２３】
２４は画像表示メモリ、２６はＤ／Ａ変換器、２８はＴＦＴ方式のＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００２４】
３０は撮影した静止画像あるいは動画像を格納するためのメモリであり、所定枚数の静止画像あるいは所定量の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、動画撮影時には、所定レートで連続的に書き込まれる画像のフレームバッファとして使用される。さらに、メモリ３０はシステム制御回路５０の作業領域としても使用することが可能である。
【００２５】
３１は複数の画像を合成して1枚の合成写真を作成する画像合成回路である。メモリ３０に書き込まれている画像データを複数同時に読み込み、回路内で合成処理を実施し、作成された合成画像データはメモリ３０に書き込まれる。合成回路としては、Ａ／Ｄ変換器１６によって変換されてメモリ制御回路２２によって書き込まれた画像データや、画像処理回路２０によって画像処理された画像データを合成する回路となる。
【００２６】
３２は公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。また、動画像データを所定のフォーマットに圧縮符号化し、又は所定の圧縮符号化データから動画像信号を伸張する機能も有する。
【００２７】
４０はシャッター制御部であり、測光制御部４６からの測光情報に基づいて絞り３１２を制御する絞り制御部３４０と連携しながらシャッター１２を制御する。４２はＡＦ（オートフォーカス）処理を行うための焦点調節部である。レンズユニット３００内の撮像レンズ３１０に入射した光線を絞り３１２、レンズマウント３０６，１０６、ミラー１３０及び焦点調節用サブミラー（不図示）を介して一眼レフ方式で入射させることにより、光学像として結像された画像の合焦状態を測定する。
【００２８】
４６はＡＥ（自動露出）処理を行うための測光制御部である。レンズユニット３００内の撮像レンズ３１０に入射した光線を、絞り３１２、レンズマウント３０６，１０６、ミラー１３０及び測光用サブミラー（図示せず）を介して一眼レフ方式で入射させることにより、光学像として結像された画像の露出状態を測定する。
【００２９】
また、焦点調節部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００３０】
５０はカメラ本体１００全体を制御するシステム制御回路であり、周知のＣＰＵなどを内蔵する。５２はシステム制御回路５０の動作用の定数、変数、プログラム等を記憶するメモリである。
【００３１】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、通知部５４はこれらのうち１つ以上の組み合わせにより構成される。特に、表示部の場合には、カメラ本体１００の操作部７０近辺の、視認しやすい、単数あるいは複数箇所に設置される。また、通知部５４は、その一部の機能が光学ファインダー１０４内に設置されている。
【００３２】
通知部５４の表示内容の内、ＬＣＤなどの画像表示部２８に表示するものとしては以下のものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００の着脱状態表示がある。
【００３３】
更に、レンズユニット３００の着脱状態表示、通信Ｉ／Ｆ動作表示、日付・時刻表示、外部コンピュータとの接続状態を示す表示等も行われる。
【００３４】
また、通知部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００３５】
５６は後述するプログラムなどが格納された電気的に消去・記録可能な不揮発性メモリであり、例えばＥＥＰＲＯＭ等が用いられる。５８は光学情報格納メモリであり、レンズユニット３００からコネクタ１２２を介して得られる、後述する各種レンズ情報を記憶する。
【００３６】
６０，６２，６４，７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３７】
ここで、これらの操作手段の具体的な説明を行う。６０はモードダイアルスイッチで、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００３８】
６２はシャッタースイッチＳＷ１で、不図示のシャッターボタンの操作途中（例えば半押し）でＯＮとなり、ＡＦ処理、ＡＥ処理、ＡＷＢ処理、ＥＦ処理等の動作開始を指示する。
【００３９】
６４はシャッタースイッチＳＷ２で、不図示のシャッターボタンの操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介してメモリ３０に書き込み、更に、画像処理回路２０やメモリ制御回路２２での演算を用いた現像処理が行われる。更に、記録処理では、メモリ３０から画像データを読み出し、圧縮・伸張回路３２で圧縮を行い、記録媒体２００に書き込む。
【００４０】
７０は各種ボタンやタッチパネルなどから成る操作部である。一例として、ライブビュー開始／停止ボタン、動画記録開始／停止ボタン、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタンなども含む。
【００４１】
なお、上記プラスボタン及びマイナスボタンの各機能は、回転ダイアルスイッチを備えることによって、より軽快に数値や機能を選択することが可能となる。
【００４２】
また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチなどがある。ワンショットＡＦモードでは、シャッタースイッチＳＷ１（６２）を押した際にオートフォーカス動作を開始し、一旦合焦した場合、その合焦状態を保ち続ける。サーボＡＦモードでは、シャッタースイッチＳＷ１（６２）を押している間、連続してオートフォーカス動作を続ける。
【００４３】
８０は電源制御部で、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４４】
８２，８４はコネクタ、８６はアルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる電源部である。
【００４５】
９０はメモリカードやハードディスク等の記録媒体やＰＣとのインターフェース、９２はメモリカードやハードディスク等の記録媒体やＰＣと接続を行うコネクタである。９８はコネクタ９２に記録媒体２００が装着されているか否かを検知する記録媒体着脱検知回路である。
【００４６】
インターフェース及びコネクタとしては、種々の記憶媒体の規格に準拠したものを用いて構成することが可能である。例えば、ＰＣＭＣＩＡ（Personal Computer Memory Card International Association）カードやＣＦ（コンパクトフラッシュ（登録商標））カード、ＳＤカード等である。インターフェース９０、そしてコネクタ９２をＰＣＭＣＩＡカードやＣＦカード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。
【００４７】
他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００４８】
１０４は光学ファインダーであり、撮像レンズ３１０に入射した光線を、一眼レフ方式によって、絞り３１２、レンズマウント３０６，１０６、ミラー１３０，１３２を介して導き、光学像として結像させて表示することができる。これにより、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッター速度、絞り値、露出補正などが表示される。
【００４９】
１２０はレンズマウント１０６内でカメラ本体１００をレンズユニット３００と接続するためのインターフェースである。１２２はカメラ本体１００をレンズユニット３００と電気的に接続するコネクタである。また、レンズマウント１０６及びコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。また、コネクタ１２２は電気通信だけでなく、光通信、音声通信により通信を行う構成としてもよい。
【００５０】
２００はメモリカードやハードディスク等の記録媒体である。この記録媒体２００は、半導体メモリや磁気ディスク等から構成される記録部２０２、カメラ本体１００とのインターフェース２０４、カメラ本体１００と接続を行うコネクタ２０６を備えている。
【００５１】
記録媒体２００としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＲＷ等の光ディスク、ＤＶＤ等の相変化型光ディスク等で構成されていても勿論構わない。
【００５２】
以下、図１−（A）、図１−（B）、図１−（C）を参照して、本発明の実施例についてタッチパネル装置に適用した場合について説明する。
【００５３】
まずについて図１‐（A）のフローチャートを用いて説明する。最初にS100において省電力処理をスタートさせる。次にS101においてタッチパネルの未使用と認識されるまでの時間についてユーザーが設定する。次にS102においてタッチの機能がそもそも有効であるかどうかを確認する。この結果無効であった場合、S103で通常の電源OFFの処理を実施して、S114で省電力処理を終了する。S102の判定において有効とされた場合はS104においてLV状態かどうかの判別を実施する。この結果LV状態ではないと判断された場合、S105においてDeepSleep省電力モードに移行してS114で省電力処理を終了する。
【００５４】
S104においてLV状態と判断された場合、S106において、MFかAFかを判定する。この結果MF設定の場合はS107においてDeepSleep省電力モードに移行してS114で省電力処理を終了する。単純にMF設定になっているかを判別するだけでもよいが、さらにこの段階で詳細に区分けをしてもよい。AFの設定の中でも製品仕様として例えば顔AFと一点AFがあって顔AF時は顔に対してピントを合わせるという仕様だった場合はタッチによるAFは不要であるためMF設定扱いをしてS107においてDeepSleepModeに移行してもよい。また一点AFの時という製品仕様だった場合は任意の場所にAFするためタッチが必要ということでAF扱いしてもよい。またS106の結果、AF設定になっている場合は、S108において撮像モードを調査する。
【００５５】
これについては図１‐(B)のフローチャートで詳細を説明する。S108において取得した結果をS109において画処理中または動画記録中に入っているかを判定する。どちらかに入っている場合は、DeepSleep省電力モードに移行し、S114において省電力処理を終了する。S109においてどちらにも入っていない場合は、S111において未使用時間調査を実施する。これについては図１‐(C)のフローチャートで詳細を説明する。次にS112においてS111の調査結果に対して判定を実施する。
【００５６】
もし所定時間に対して経過していた場合は、次にスムーズに使えるような省電力モードであるWaitForTouchのモードに移行して、S114で省電力処理を終了する。S112においてもし所定時間に対して経過していない場合は、そのままS114で省電力処理を終了する。
【００５７】
次に図１‐（B）のフローチャートを用いて説明する。S200において撮像モード調査をスタートさせる。S201において動画記録中かどうかの判別を実施する。もし動画記録中の場合はS209において動画記録中と決定してS210において撮像モード調査を終了する。もし動画記録中ではないとS201において判断された場合、S202においてクリエイティブフィルター中かどうかの判定を実施する。もしクリエイティブフィルター中と判定された場合は、S208に置いて画処理モード中であると決定してS210において撮像モード調査を終了する。
【００５８】
S202においてクリエイティブフィルター中と判定されなかった場合は、S203においてLV中の拡大中かどうかを判定する。もしLV中の拡大中と判定された場合は、S208に置いて画処理モード中であると決定してS210において撮像モード調査を終了する。これは、LV拡大中は中央のみAFのみという製品仕様において、タッチAFというそもそもの目的に対して不要な為である。S203においてLV中の拡大中と判定されなかった場合は、S204において顔AFモードに入っているかどうかを判定する。もし顔AFモードと判定された場合は、S208に置いて画処理モード中であると決定してS210において撮像モード調査を終了する。
【００５９】
これは、顔AF時は顔に対して追従ようにAFするのでタッチAFの目的に対して不要な為である。S204において顔AFモードに入っていないと判定された場合は、S205において動画HDR中かどうかを判定する。もし動画HDRと判定された場合は、S208において画処理モード中であると決定してS210において撮像モード調査を終了する。S205において動画HDR中と判定されなかった場合は、S206において表現シャッフル中かどうかを判定する。もし表現シャッフル中と判定された場合は、S208において画処理モード中であると決定してS210において撮像モード調査を終了する。
【００６０】
S206において表現シャッフル中と判定されなかった場合は、S207において通常モードと判定してS210において撮像モード調査を終了する。製品仕様として本実施例ではクリエイティブフィルター中や動画HDR中や表現シャッフル中という場合にはそもそもAFする必要がない仕様だったため、タッチAFの目的に対して不要ということからDeepSleep省電力モードに入るが、その他AFを使用しないような製品仕様があった場合にDeepSleep省電力モードに移行してもよい。
【００６１】
次に図１‐（C）のフローチャートを用いて説明する。S300において未使用時間調査をスタートさせる。次にS301においてユーザーからの設定情報を取得する。次にS301で取得した時間に対してタイマーをS302においてセットする。そしてS303においてS302で設定したタイマーに対しての完了を待つ。次にS304において所定時間内に指が触れられたかどうかを判定する。もし指が触れられた場合はS306において経過せずと決定をしてS307において未使用時間調査を終了する。もし指が触れられていない場合はS305において未使用時間が設定時間を経過したと決定してS307で未使用時間調査を終了する。
【００６２】
以上により、撮像装置の状態を考慮して、２つの省電力モードと通常の電源OFFの３つのモードを切り替えながら使用することでユーザーに不快感を与えない範囲で電力消費を削減することを可能にしたタッチパネル装置を提供することが可能となる。
【００６３】
以上、本発明の好ましい実施形態について説明したが、本発明はこれらの実施形態に限定されず、その要旨の範囲内で種々の変形及び変更が可能である。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１０  撮影レンズ、１２  シャッター、１４  撮像素子、１６  Ａ／Ｄ変換器、
１８  タイミング発生回路、２０  画像処理回路、２２  メモリ制御回路、
２４  画像表示メモリ、２６  Ｄ／Ａ変換器、２８  画像表示部、３０  メモリ、
３１  画像合成回路、３２  画像圧縮・伸長回路、４０  露光制御手段、
４２  測距制御手段、４６  測光制御手段、５０  システム制御回路、５２  メモリ、
５４  表示部、５６  不揮発性メモリ、６０  モードダイアルスイッチ、
６２  シャッタースイッチSW1、６４  シャッタースイッチSW2、７０  操作部、
８０  電源制御手段、８２  コネクタ、８４  コネクタ、９０  インターフェース、
９２  コネクタ、９４  インターフェース、９６  コネクタ、
９８  記録媒体着脱検知手段、１００  画像処理装置、１０２  保護手段、
１０４  光学ファインダー、２００  記録媒体、２０２  記録部、
２０４  インターフェース、２０６  コネクタ、３００  レンズユニット、
３０６  レンズマウント、３１０  撮像レンズ、３１２  絞り、
３２０  インターフェース、３２２  コネクタ、３４０  絞り制御部、
３４２  フォーカス制御部、３４４  ズーム制御部、３５０  レンズシステム制御回路
【図１Ａ】
2016122955.tif 000003
【図１Ｂ】
2016122955.tif 000004
【図１Ｃ】
2016122955.tif 000005
【図２】
2016122955.tif 000006
【図３】
2016122955.tif 000007